(57)【要約】【課題】グレーチング蓋受部材本体と特定の補強部材を組み合わせて、グレーチング蓋受部材本体の下部に補強部材を固着することによって、縦目グレーチング蓋受部材の耐荷重性を改善する。【解決手段】Ｕ字溝（Ｃ）の側壁上部に、水平部分（１’）と垂直立上部分（１”）をもつ左右の断面Ｌ字の支持枠（１）と垂直立上部分の所定位置に設置される蓋受材（２）で構成され、左右何れか一方又は双方の支持枠（１）の水平部分の他端部に降下部分（３）を設け、該降下部分の適宜箇所に蓋受枠部材本体をＵ字溝の側壁に固定するための止めネジ（４）を設けた蓋受枠部材本体（Ａ）と、該蓋受枠部材本体の水平部分の下部に固着され、左右の水平部分（５’）と垂直降下部分（５”）からなる断面Ｌ字の支持枠（５）の降下部分の適宜箇所を横材（６）により固着してなる補強部材（Ｂ）とからなる縦目グレーチング蓋受部材。【選択図】図１
2013194373.tif 000002
【特許請求の範囲】
【請求項１】
Ｕ字溝（Ｃ）の側壁上部に位置し、水平部分（１’）と垂直立上部分（１”）をからなる左右の断面Ｌ字の支持枠（１）と左右の垂直立上部分の所定位置に設置される蓋受材（２）で構成され、左右何れか一方又は双方の断面Ｌ字の支持枠（１）の水平部分の他端部に降下部分（３）を設け、該降下部分の適宜箇所に蓋受枠部材本体をＵ字溝の側壁に固定するための止めネジ（４）を設けた蓋受枠部材本体（Ａ）と、該蓋受枠部材本体の水平部分の下部に固着され、左右の水平部分（５’）と垂直降下部分（５”）からなる断面Ｌ字の支持枠（５）の降下部分の適宜箇所を横材（６）により固着してなる補強部材（Ｂ）とからなることを特徴とする縦目グレーチング蓋受部材。
【請求項２】
補強部材（Ｂ）に設ける横材（６）が角材であることを特徴とする請求項１に記載の縦目グレーチング蓋受部材。
【請求項３】
補正部材（Ｂ）が、横材として板材を用いる横目グレーチング蓋であることを特徴とする上記請求項１に記載の縦目グレーチング蓋受部材。
【請求項４】
蓋受枠部材本体の左右何れか一方又は双方の断面Ｌ字の水平部分の端部に降下部分を設けない箇所にアングルピース（７）を設けることを特徴とする請求項１または２のいずれか１項に記載の縦目グレーチング蓋受部材。
【請求項５】
蓋受枠部材本体（Ａ）の垂直立上部分とグレーチング蓋との隙間、若しくは垂直立上部分の外側にステンレス製目地材（８）を設けることを特徴とする請求項１〜４のいずれか１項に記載の縦目グレーチング蓋受部材。
【発明の詳細な説明】
【技術分野】
【０００１】
本発明は、道路の路肩、歩車道境界、中央分離帯、公園や広場などの公共施設の路面等に溜まった雨水、洗浄水等を排水するための流水路を形成するＵ字溝等の排水溝の上面開口を覆うグレーチング蓋を受けるための縦目グレーチング蓋受部材に関し、特に該蓋受部材と補強部材を組み合わせて両者を固着することによって、耐加重性を向上させた縦目グレーチング蓋受部材に関するものであり、また、補強部材として従来の横目グレーチング蓋を用いることが可能な縦目グレーチング蓋受部材に関するものである。
【背景技術】
【０００２】
降雨時や融雪時、あるいは洗浄時に路面上に溜まる水を排水するために設けられる流水路は長手方向に貫通する流水路を備えた側溝用ブロック、例えば、Ｕ字溝や円形水路ブロックを路面に埋設することにより構築されている。また、現場施工でコンクリートを打って構築されている。
該流水路は溝蓋で覆うのであるが、通常は、通水溝路上に設置される溝蓋として、該通水溝路の溝幅方向に沿った複数のメインバーを所定間隔で並列し、該メインバーに適当数のクロスバー（板材）を直交状に差し渡してなる構成のグレーチング、即ち横目グレーチングが良く用いられている。
【０００３】
しかしながら、該横目グレーチングは、一般的に、そのメインバー方向の幅が流水路の路幅と略等しくなるように形成されており、流水路の路幅全体を覆うようにして、流水路の長手方向に亘って所定個数連続して配設される。この横目グレーチングを設置する場合にあっては、流水路を構成する左右の側壁上に乗せられる水平部分と、該水平部分外端から立ち上がる垂直立上部分とからなる断面Ｌ形に形成されているグレーチング受枠が設けられ、該グレーチング受枠により横目グレーチングが支持されているようになっている。例えば、このグレーチング受枠は、流水路の左右の側壁上に乗せられて、該流水に付設され、その後、横目グレーチングを、グレーチング受枠の水平部分上に乗せるように設置する。その際、該横目グレーチングは、その各メインバーの両端部が、水平部分上で支持されていることから、当該横目グレーチングの上方から掛かる荷重は、各メインバーが支えることとなり、自動車等の高重量のものが通過した場合にあっても、比較的大きな荷重に耐えることができる。
【０００４】
このように従来は、流水路を覆うグレーチングにあっては、その上面の開口部とほぼ同等の幅の受枠をその開口部に取り付け、この受枠の内側に蓋体としてのグレーチングを収納して流水路の開口部を覆っていた。
ところが、この場合、グレーチングの幅が大きく、多大の材料を必要とし、単位面積当たりに掛かる重量が同じでも幅が広いとそれだけ大きな加重が掛かり剛性、即ち強度、の高いグレーチングが必要となり、更に、外観があまり良くないという問題があり、そこで、近年においては、流水路の開口部の上に比較的幅の小さい受枠本体を起立状態に設置し、この受枠内に幅の小さい溝方向にメインバーと該メインバーを差し渡す適宜数のクロスバーとで形成してなる縦目グレーチングを収納して流水路の開口部を覆う形態が、例えば、特許文献１、特許文献２、特許文献３に記載の如く、採用されている。
【０００５】
該グレーチング受枠においては、グレーチング蓋を乗せるグレーチング蓋受材は、通常は、歩行用のグレーチング蓋受材では図１０（ａ）に示す如く、左右の蓋受枠本体の水平部分は端部に降下する部分に止めネジを有する部分でＵ字溝の側壁に固定させるか、軽加重用においては図１０（ｂ）に示す如く、左右の蓋受枠本体の水平部分に補強材（Ｂ）を固着しているが、耐加重性に対しては必ずしも優れているものではなかった。
即ち、開口幅が大きいＵ字溝に対して、幅の小さい縦目グレーチング蓋を取り付けるグレーチング蓋受部材にあっては、その蓋にかかる加重は直接Ｕ字溝の側壁上部にかかるものではなく、蓋受部材の水平部分を介して加重を受けるので、耐加重性が必ずしも満足のいくものではなかった。
【先行技術文献】
【特許文献】
【０００６】
【特許文献１】特開２００５−０３００４２号公報
【特許文献２】特開２００７−１６９９９３号公報
【特許文献３】特開２００５−０２３７３６号公報
【発明の概要】
【発明が解決しようとする課題】
【０００７】
そこで、本発明は上記の如き問題点を解決するために鋭意検討を重ねた結果、従来、Ｕ字溝に幅の狭い縦目グレーチング蓋を取り付けるグレーチング蓋受材において、直接Ｕ字溝の側壁上部にグレーチング蓋受材の水平部分を乗せるか、若しくは、取り付け部材を介してグレーチング蓋受材の水平部分を乗せるかしていたものであるのに対して、グレーチング蓋受材部材本体と特定の補強部材を組み合わせて、グレーチング蓋受材部材本体の下部に補強部材を固着することによって、耐荷重性を改善することを見出し、本発明を完成するに至った。
【課題を解決するための手段】
【０００８】
即ち、本発明は、以下の通りのものである。
１．Ｕ字溝（Ｃ）の側壁上部に位置し、水平部分（１’）と垂直立上部分（１”）をからなる左右の断面Ｌ字の支持枠（１）と左右の垂直立上部分の所定位置に設置される蓋受材（２）で構成され、左右何れか一方又は双方の断面Ｌ字の支持枠（１）の水平部分の他端部に降下部分（３）を設け、該降下部分の適宜箇所に蓋受枠部材本体をＵ字溝の側壁に固定するための止めネジ（４）を設けた蓋受枠部材本体（Ａ）と、該蓋受枠部材本体の水平部分の下部に固着され、左右の水平部分（５’）と垂直降下部分（５”）からなる断面Ｌ字の支持枠（５）の降下部分の適宜箇所を横材（６）により固着してなる補強部材（Ｂ）とからなることを特徴とする縦目グレーチング蓋受部材。
２．補強部材（Ｂ）に設ける横材（６）が角材であることを特徴とする上記１．に記載の縦目グレーチング蓋受部材。
３．蓋受枠部材本体の左右何れか一方又は双方の断面Ｌ字の水平部分の端部に降下部分を設けない箇所にアングルピース（７）を設けることを特徴とする上記１．または２．のいずれか１つに記載の縦目グレーチング蓋受部材。
４．補正部材（Ｂ）が、横材として板材を用いる横目グレーチング蓋であることを特徴とする上記１．に記載の縦目グレーチング蓋受部材。
５．蓋受枠部材本体（Ａ）の垂直立上部分とグレーチング蓋との隙間、若しくは垂直立上部分の外側にステンレス製目地材（８）を設けることを特徴とする上記１．〜４．のいずれか１つに記載の縦目グレーチング蓋受部材。
【発明の効果】
【０００９】
本発明の縦目グレーチング蓋受部材は、特に該受部材本体と補強部材を組み合わせて両者を固着することによって、耐加重性を極めて顕著に向上させた縦目グレーチング蓋受部材であり、また、補強部材の横材として板材を用いることによって従来の横目グレーチング蓋の使用が可能な縦目グレーチング蓋受部材である。
【図面の簡単な説明】
【００１０】
【図１】図１は、本発明の縦目グレーチング蓋受部材をＵ字溝で構成する流水路に適用した場合の構成部材の概略図であり、縦目グレーチング蓋をＵ字溝の中央に設ける中央タイプの縦目グレーチング蓋受部材である。
【図２】図１の蓋受枠部材本体をＵ字溝に設置し、縦目グレーチング蓋を載置した場合の概略断面図である。
【図３】図２の上面図である。
【図４】本発明の縦目グレーチング蓋受部材をＵ字溝で構成する流水路に適用した場合の構成部材の概略図であり、縦目グレーチング蓋をＵ字溝の端に設ける片寄タイプの縦目グレーチング蓋受部材である。
【図５】補強部材に横目グレーチング蓋を用いた場合の概略図である。
【図６】図４の蓋受枠部材本体をＵ字溝に設置し、縦目グレーチング蓋を載置した場合の概略断面図である。
【図７】図６の上面図である。
【図８】図１においてステンレス製目地材を設けた場合の断面図である。
【図９】Ｕ字溝流水路を掃除するために、Ｕ字溝開口部の全体を取り外し可能な縦目グレーチング蓋受部材の構造及び取付手段を示す図であり、（イ）は断面図であり、（ロ）は上面図である。
【図１０】従来の縦目グレーチング蓋受部材の設置断面図であり、（ａ）は歩行用であり、（ｂ）は軽加重用の縦目グレーチング蓋受部材である。
【発明を実施するための形態】
【００１１】
以下、本発明を実施するための実施例形態について図面を用いて説明する。
図１は、本発明の縦目グレーチング蓋受部材（以下「蓋受部材」という。）をＵ字溝（Ｃ）で構成する流水路に適用した場合の構成部材の概略図であり、縦目グレーチング蓋（８）をＵ字溝の中央に設ける中央タイプの縦目グレーチング蓋受部材である。
蓋受部材は、蓋受枠部材本体（Ａ）と補強部材（Ｂ）とからなり、両者は強固に固着されている。該固着は溶接固着でもボルト固着でも如何なる固着でもよいが、溶接による固着が望ましい。
蓋受枠部材本体（Ａ）は、水平部分（１’）と垂直立上部分（１”）をからなる左右の断面Ｌ字の支持枠（１）と、該左右の垂直立上部分の所定位置に設置される蓋受材（２）で構成され、左右の双方には断面Ｌ字の支持枠（１）の水平部分の他端部に降下部分（３）を設け、該降下部分の適宜箇所に蓋受枠部材本体をＵ字溝の側壁に固定するための止めネジ（４）を設けたものである。
【００１２】
左右の垂直立上部分（１”）の間には、縦目グレーチング蓋の幅と同じ幅の間隔が保たれており、該間隔に縦目グレーチング蓋が挿入される。
左右のグレーチング受枠部材本体の間には、グレーチング受枠本体の垂直立上部分（１”）の上端からグレーチング蓋（１０）の厚さだけ下降した位置に蓋受材（２）が固定されている。該位置に固定することにより、蓋受材（２）上にグレーチング蓋を乗せた場合に垂直立上部分（１”）の上端とグレーチング蓋上面とが一致し、該位置に路面が一致するように道路等を施工する。図１、４では、蓋受材（２）は角材で示しているが、該蓋受材の形状、材質も蓋を載置し、固定されるものであれば如何なる形状、材質（例えば、スチール、ステンレス、その他の金属等）ものでもよい。
また、補強部材は、蓋受枠部材本体（Ａ）の水平部分の下部に固着され、左右の水平部分（５’）と垂直降下部分（５”）からなる断面Ｌ字の支持枠（５）の降下部分の適宜箇所を横材（６）により固着してなる補強部材（Ｂ）である。該補強部材（Ｂ）の水平部分（５’）はＵ字溝の側壁上端部に載置される。横材（６）は、該図では角材が用いられているが、剛性・強度を保つものであればパイプ状でも板状でもよく、適宜形状のものが用いられ、また、その材質も適宜の材質のものが用いられる。
【００１３】
更に、断面Ｌ字の支持枠（５）の降下部分の適宜箇所を横材（６）により固着してなる
補強部材（Ｂ）において、横材を板状材とした場合は、Ｕ字溝に設ける通常の横目グレーチング蓋と同様なものとなり、その結果、通常の横目グレーチング蓋を補強部材（Ｂ）として用いて、補強部材（Ｂ）を蓋受枠部材本体（Ａ）と組み合わせることによって、本発明の縦目グレーチング蓋受部材を構成することが可能となる。図５に横目グレーチング蓋を補強材に用いた場合の概略図を示す。
該補強部材（Ｂ）の水平部分（５’）はＵ字溝の側壁上端部に載置される。
本発明の蓋受部材は、蓋受枠部材本体（Ａ）と補強部材（Ｂ）とを適宜の手段で固着してなることは前述のとおりである。
また、図１では縦目グレーチング蓋（４）をＵ字溝の中央に設けているが、中央に限らず一方に寄せても構わず、その場合は、左右の断面Ｌ字の支持枠（１）の水平部分（１’）を左右対称ではなく、一方を長く、他方を短くして、支持枠の開口を一方に寄せればよい。
【００１４】
図４は、開口をＵ字溝流水路の端部に設けた場合の実施の態様を示す概略図であり、縦目グレーチング蓋をＵ字溝の端に設ける片寄タイプの縦目グレーチング蓋受部材であって、図１では流水路の中央に幅細の縦目グレーチング蓋の開口を設けているが、該開口を流水路の端部に設けることにより、道路に設置した場合には、より路肩に接近した部分にグレーチング蓋を設置することができる。
図４においては、蓋受部材の開口をＵ字溝の端部に設けるため、蓋受枠部材本体の一方の支持枠（１）（図４で左側）は水平部分を長くとり、断面Ｌ字の水平部分の他端部に降下部分（３）を設けるが、他方の支持枠（１）（図４で右側）は垂直立上部分（１”）をＵ字溝の側壁の端部に設けるため、支持枠（１）の水平部分（１’）は、一方の支持枠と同じ方向に設ける。したがって、他方の支持枠の水平部分の他端部に降下部分（３）を設けることが出来ず、支持枠のＵ字溝への固定は、支持枠の垂直立上部分（１”）にＵ字溝の側壁上に止めネジを有するアングルピース（７）により固定される。
【００１５】
図８は、図１において、ステンレス製目地材（８）を設けた場合の概略図であり、左右のグレーチング受枠部材本体の垂直立上部分（１”）の外側に、ステンレス製目地材（８）を設けた場合の図である。該グレーチング蓋側にステンレス製目地材（８）をその上端部が、受枠部材本体の垂直立上部分（１”）の上端部より高く、グレーチング蓋を設置した際にグレーチング蓋の上面部と同じ位置にある様に設けることにより、道路にグレーチング蓋を設置した場合にグレーチング蓋受枠部材はステンレス目地材のみが目視され見栄えが良いものとなる。図８では、ステンレス製目地材（８）はグレーチング受枠部材本体の垂直立上部分（１”）の外側に設けているが、グレーチング蓋の両側に縦目地材として設け、該縦目地材の外側に垂直立上部分（１”）の上端部が接する様に設けてもよい。
【００１６】
図９は、Ｕ字溝流水路を掃除するために、Ｕ字溝開口部の全体を取り外し可能な縦目グレーチング蓋受部材の構造及び取付手段を示す図である。
Ｕ字溝の側壁上端部に、水平部分がＵ字溝の側壁上端部の幅であり垂直立上部分が取り外し可能な縦目グレーチング蓋受部材の高さと同じである左右の受枠（９）をＵ字溝の側壁上に止めネジを有するアングルピース（７）により固定する。該受枠（９）内に、図１で示す受枠部材本体であって、水平部分の他端が垂直立上部（１”）と同様な垂直立上部を有する点のみが異なる受枠部材本体と、補強部材とからなる縦目グレーチング蓋受部材を受枠（９）に挿入する。該縦目グレーチング蓋受部材は、必要に応じて、受枠（９）から取り出すことが可能であり、その結果、Ｕ字溝流水路は、Ｕ字溝の開口部全体が開くことが可能となり、水路の掃除が容易となる。
【００１７】
縦目グレーチング蓋の大きさは、通常、長さが３００〜１５００ｍｍ、幅が５０〜１３０ｍｍ、高さが１５〜５５ｍｍ、の範囲の通常はステンレス製であり、例えば、長さが１０００ｍｍの場合には止めネジは通常は４００ｍｍ間隔で３本程度である。また、補強部材として横目グレーチングを用いる場合には、縦目グレーチング蓋と同じ長さ、即ち１０００ｍｍ、の横目グレーチング蓋を用いる。
片寄タイプの支持枠のＵ字溝側壁上への固定に用いるアングルピース（７）も適宜間隔で設ければよいが、通常は４００ｍｍ間隔で３本程度である。
本実施態様においては、グレーチング受枠本体、及び補強部材は、スチール製であり、成形後に溶融亜鉛メッキが施されたものであり、縦目グレーチング蓋はステンレス製であるが、双方がステンレス製であってもよく、それらの部材の材質は必要に応じて、適宜選択することができる。
【産業上の利用可能性】
【００１８】
以上述べた如く、本発明の縦目グレーチング蓋受部材は、グレーチング蓋受枠部材本体と補強部材との両者を固着することによって、耐加重性を極めて顕著に向上させたものであり、また、補強部材として、横材に板材を用いた場合に、従来の横目グレーチング蓋を用いることが可能であるので産業上極めて有用である。
【符号の説明】
【００１９】
Ａ    グレーチング蓋受枠部材本体
Ｂ    補強部材
Ｃ    Ｕ字溝
１    支持枠
１’  支持枠（１）の水平部分
１”  支持枠（１）の垂直立上部分
２    蓋受材
３    水平部分の他端部に設けた降下部分
４    蓋受枠部材本体をＵ字溝側壁に固定するための止めネジ
５    断面Ｌ字の支持枠
５’  支持枠（５）の水平部分
５”  支持枠（５）の垂直降下部分
６    横材
７    止めネジ付きアングルピース
８    ステンレス製目地材
９    受枠
１０  縦目グレーチング蓋
１１  横目グレーチング蓋
【図１】
2013194373.tif 000003
【図２】
2013194373.tif 000004
【図３】
2013194373.tif 000005
【図４】
2013194373.tif 000006
【図５】
2013194373.tif 000007
【図６】
2013194373.tif 000008
【図７】
2013194373.tif 000009
【図８】
2013194373.tif 000010
【図９】
2013194373.tif 000011
【図１０】
2013194373.tif 000012